(57)【要約】      （修正有）【課題】収納し易く、使用と携帯に便利な美容テープ装置を提供する。【解決手段】美容テープ装置であって、ケース体１、テープロール２を有する。複数のデザインシール３を有する美容テープを円形管２１上に巻きつけ、ケース体１の収容空間１２中に入れることで、テープは摩擦や衝突により脱落や変形することなく、テープ保護の機能を達成することができる。また、テープ上のカット点線２２により、テープをちぎり取る際にちぎり易く、使う必要のない部分に影響が及ぶことはない。且つケース体１上のフィーディング口１１外の粘着部１７により未使用のテープを粘着することで、次回の使用の便を図り、収納し易く、使用と携帯に便利な機能を達成することができる。【選択図】図３
0003199930.tif 000002
【実用新案登録請求の範囲】
【請求項１】
美容テープ装置であって、ケース体、テープロールを有し、
前記テープロールは、テープを円形管上に巻きつけて形成し、前記テープ上には、複数のデザインシールを有し、
前記ケース体は、相互に対応して合わさる第一ケース体と第二ケース体により組成される収容空間を有し、前記第一ケース体は、フィーディング口を有し、前記フィーディング口の外側には、粘着部を有し、前記第一ケース体と前記第二ケース体との間には、枢接部を設置し、
前記テープロールの円形管と前記第二ケース体上の枢接部とを枢接させ、前記収容空間中に入れ、且つ前記テープの一端は、前記フィーディング口を通過し、前記粘着部上に粘着されることを特徴とする美容テープ装置。
【請求項２】
前記ケース体の輪郭は、円形であることを特徴とする請求項１に記載の美容テープ装置。
【請求項３】
前記ケース体中心には、孔を有することを特徴とする請求項１に記載の美容テープ装置。
【請求項４】
前記テープ上には、間隔距離毎に、カット点線を有することを特徴とする請求項１に記載の美容テープ装置。
【請求項５】
前記ケース体は、プラスチック材料により製造されることを特徴とする請求項１に記載の美容テープ装置。
【考案の詳細な説明】
【技術分野】
【０００１】
本考案は美容テープ装置に関し、特に収納し易く、且つ使用に便利で、ケース体によりテープを保護でき、テープの変形や脱落とほこりによる汚染を防止できる美容テープ装置に関する。
【背景技術】
【０００２】
美容テープは、顔に用いるメイクアップ用具である。
それは、価格が手頃で、取り出した後はそのまま使用できるため、広く普及している。
【０００３】
現在使用されている二重まぶたテープ、或いは人工皮膚テープは、図１に示す。
従来の美容テープ５上には、複数のデザインシール３を有する。
デザインシール３は、数が極めて多いため、一般的には直ちに使い終わることはできない。
そのため、保護装置を持たない美容テープには、ほこりや各種微粒物質が付着し、細菌や微生物が発生する。
且つ、美容テープの多くは、顔面に使用するため、細菌発生により、毛孔が炎症を起こすなどの状況が発生し易い。
さらに、保護装置を持たない美容テープ５は、携帯時に、デザインシール３が摩擦や衝突により、変形したり、脱落したりし易い。
また、従来の美容テープ５の多くは一枚毎のシート状であるため、収納した後、行方不明になってしまいがちである。
【考案の概要】
【考案が解決しようとする課題】
【０００４】
本考案の目的は収納し易く、且つ使用に便利で、ケース体によりテープを保護でき、テープの変形や脱落とほこりによる汚染を防止できる美容テープ装置を提供することにある。
【課題を解決するための手段】
【０００５】
本考案による美容テープ装置は、ケース体、テープロールを有する。
該テープロールは、テープを円形管上に巻きつけて形成し、該テープ上には、複数のデザインシールを有する。
該デザインシールは、二重まぶたテープを或いは人工皮膚テープなどである。
該ケース体は、相互に対応して合わさる第一ケース体と第二ケース体により組成される収容空間を有し、該第一ケース体と該第二ケース体との間には、枢接部を設置する。
本考案は、テープロールの円形管と第二ケース体上の枢接部とを枢接させ、第一ケース体と第二ケース体とを相互に対応させて合わせ、該テープを収容空間中に入れる。
こうして、テープは、摩擦や衝突により、脱落や変形することがなくなり、テープを保護する機能を達成することができる。
第一ケース体上には、フィーディング口を有し、且つフィーディング口の片側には、粘着部を有する。
粘着部は、第一ケース体の外側に設置し、使用者は、テープの一端を、第一ケース体上のフィーディング口に通して引き出し、使い終わった後は、余ったテープを、ケース体の外側の粘着部上に粘着させ、次回の使用の便を図る。
【０００６】
本考案一実施形態による美容テープ装置において、該ケース体の輪郭は、円形である。
【０００７】
本考案一実施形態による美容テープ装置において、該ケース体中心には、貫通状の孔を有し、テープ台と結合させて使用することができる。
【０００８】
本考案一実施形態による美容テープ装置において、該テープ上には、間隔距離毎に、カット点線を有し、使用者が美容テープをちぎり取る際に、余ったデザインシールに影響を及ぼすことはない。
【考案の効果】
【０００９】
本考案の実施形態を応用する特徴の一つは、収納し易く、且つ使用に便利で、ケース体によりテープを保護でき、テープの変形や脱落とほこりによる汚染を防止することができる。
【図面の簡単な説明】
【００１０】
【図１】従来の美容テープの模式図である。
【図２】本考案第一実施形態による美容テープ装置の立体図である。
【図３】本考案第一実施形態による美容テープ装置の分解図である。
【図４】本考案第一実施形態による美容テープ装置の上視図である。
【図５】本考案第二実施形態による美容テープ装置の立体図である。
【図６】本考案第二実施形態による美容テープ装置の使用模式図である。
【考案を実施するための形態】
【００１１】
図２は、本考案第一実施形態による美容テープ装置の立体図である。
図２に示すとおり、美容テープ装置は、ケース体１、テープロール２を有する。
テープロール２は、ケース体１の収容空間１２中に設置される。
テープ２３は、フィーディング口１１を貫通し、引き出された後、使用される。
使い終わったなら、テープ２３をケース体１外側の粘着部１７上に粘着させる。
【００１２】
図３は、本考案第一実施形態による美容テープ装置の分解図である。
図３に示すとおり、テープロール２は、テープ２３を円形管２１上に巻きつけて形成する。
テープ２３上には、複数のデザインシール３を有する。
本考案のデザインシールは、二重まぶたテープである。
ケース体１は、相互に対応して合わさる第一ケース体１６と第二ケース体１５により組成される収容空間１２を有する。
第一ケース体１６と第二ケース体１５との間には、枢接部１３を設置する。
【００１３】
本考案は、テープロール２の円形管２１と第二ケース体１５上の枢接部１３とを枢接させ、次に第一ケース体１６と第二ケース体１５とを相互に対応させることで、テープ２を収容空間１２中に収容する。
こうして、テープ２は、摩擦や衝突により、脱落や変形することがなくなり、テープ２を保護する機能を達成することができる。
第一ケース体１６上には、フィーディング口１１を有し、且つフィーディング口１１の外側には、粘着部１７を有する。
使用者は、テープ２３の一端を、第一ケース体１６上のフィーディング口１１に通して引き出し、使い終わった後は、余ったテープ２３を、第一ケース体１６の外側の粘着部１７上に粘着させ、次回の使用の便を図る。
本実施形態において、粘着部１７は、粘性を有する両面テープであるが、粘着部１７の種類はこれに限定するものではなく、製造者はニーズに応じて、その種類を修正することができる。
【００１４】
図４は、本考案第一実施形態による美容テープ装置の上視図である。
図４に示すとおり、テープ２上には、間隔距離Ａ毎に、カット点線２２を有するため、使用者は必要な用量に従い、テープ２をそこでカットでき、他のデザインシール３に影響を及ぼすことはない。
本実施形態では、間隔距離Ａは等距離に設置するが、製造者は必要に応じて、その間隔距離を変えることができる。
【００１５】
図５は、本考案第二実施形態による美容テープ装置の立体図である。
図５に示すとおり、ケース体１中心には、貫通状の孔１４を有し、さらにテープ台４と組み合わせて使用することができる。
【００１６】
図６に示すとおり、ケース体１上の孔１４は、枢接棒（図示なし）に嵌めて設置し、枢接棒（図示なし）とテープ台４とを組み立てる。
美容テープ装置中から、テープ２３を引き出し、それを固定台４１上に置き、さらにテープ２３をテープ台４のカッターブレード４２の鋭利端へと押す。
これにより、カッターブレード４２のブレードを通して、テープ２３を切断し、必要な長さのテープ２３を得ることができる。
【００１７】
本実施形態の美容テープ装置では、テープロール２を使い切った後、テープロール２を交換するだけでよい。
よって、従来の美容テープに比べ、本考案はより環境にやさしく、コストパフォーマンスも優れている。
本実施形態では、テープロール２は二重まぶたテープであるが、テープロール２の種類はこれに限定されるものではなく、使用者は必要に応じて、テープロールの種類を変え、他の美容テープに差し替えて使用することができる。
また例えば、二重まぶたテープと人工皮膚などを同時に使用することもできる。
本考案の実施形態では、ケース体１は円形であるが、ケース体の形状はこれに制限されるものではなく、製造者は必要に応じて変更を加えることができ、四角形、或いはドーナツの形など特殊な輪郭を有する形状とすることもできる。
【００１８】
本考案が提供する美容テープ装置は、複数のデザインシールを有する美容テープを円形管上に巻きつけ、ケース体の収容空間中に入れることで、テープは摩擦や衝撃により脱落や変形することがなくなり、テープ保護の機能を達成することができる。
また、テープ上のカット点線により、テープをちぎる時より簡単にちぎることができ、使用が不要な部分に影響が及ぶことはない。
且つ、ケース体上のフィーディング口外の粘着部により、未使用のテープを粘着し、次回の使用の便を図り、収納し易く、且つ使用と携帯に便利である。
また、ケース体により、美容テープへのほこりや各種微粒物質の付着を防止し、細菌微生物の発生を防止でき、使用の衛生を確保し、考案の目的を達成することができる。
【００１９】
前述した本考案の実施形態は本考案を限定するものではなく、よって、本考案により保護される範囲は後述される実用新案登録請求の範囲を基準とする。
【符号の説明】
【００２０】
１  ケース体
１１  フィーディング口
１２  収容空間
１３  枢接部
１４  孔
１５  第二ケース体
１６  第一ケース体
１７  粘着部
２  テープロール
２１  円形管
２２  カット点線
２３  テープ
３  デザインシール
４  テープ台
４１  固定台
４２  カッターブレード
Ａ  間隔距離
【図１】
0003199930.tif 000003
【図２】
0003199930.tif 000004
【図３】
0003199930.tif 000005
【図４】
0003199930.tif 000006
【図５】
0003199930.tif 000007
【図６】
0003199930.tif 000008